(57)【要約】      （修正有）【課題】大きく伸長するゴム糸、ゴム紐又は多少伸長する糸、編み紐若しく伸長しない糸、紐等を芯体に細糸等が長足に全長に渡って撚り込まれる飾り糸を巻き付け、ボリュームのある巻編体を巻き編み上げる飾り糸巻編み棒の提供。【解決手段】合成樹脂材により一定の剛性を具え、所要長さに切断されて中空管が形成され、該中空管の一端に所要の幅と深さを有する掛止溝２が設けられてなる飾り糸巻編み棒１。【選択図】図４
0003139514.tif 000002
【実用新案登録請求の範囲】
【請求項１】
合成樹脂材により一定の剛性を具え、所要長さに切断されて中空管が形成され、該中空管の一端に所要の幅と深さを有する掛止溝が設けられてなる芯体に飾り糸を巻き編み上げる飾り糸巻編み棒。
【請求項２】
前記中空管の外周面に、周回方向に所要の間隔で、かつ軸方向の所要の高さの突条が形成されてなる請求項１の飾り糸巻編み棒。
【請求項３】
合成樹脂材により一定の剛性を具え、所要長さに切断されて中空管が形成され、該中空管の一端において、背合わせに対面する外周面の２個所に第１掛止溝と第２掛止溝が設けられてなる芯体に飾り糸を巻き編み上げる飾り糸巻編み棒。
【請求項４】
前記一方の第１掛止溝は一端に近く、他方の第２掛止溝は前記第１掛止溝よりも他端側へ離れて設けられてなる請求項３の飾り糸巻編み棒。
【請求項５】
中空管の一端に形成される前記第２掛止溝の入口を広幅に形成して広幅入口部を具える第２広幅入口掛止溝に形成されてなる請求項３の飾り糸巻編み棒。
【請求項６】
中空管の一端に形成される第２掛止溝を鍵型に屈曲・形成して溝部内に外止突起と第３部分掛止溝を具える第２鍵型掛止溝に形成されてなる請求項３の飾り糸巻編み棒。
【請求項７】
合成樹脂材により一定の剛性を具え、所要長さに切断されて中空管が形成され、該中空管の一端において掛止孔が設けられてなる芯体に飾り糸を巻き編み上げる飾り糸巻編み棒。
【請求項８】
合成樹脂材により一定の剛性を具え、所要長さに切断されて中空管が形成され、該中空管の一端において掛止孔が、他端には掛止孔が夫々設けられてなる芯体に飾り糸を巻き編み上げる飾り糸巻編み棒。
【考案の詳細な説明】
【技術分野】
【０００１】
この考案は、大きく伸長するゴム糸、ゴム紐又は多少伸長する糸、編み紐若しく伸長しない糸、紐等を芯体に細糸等が長足に全長に渡って撚り込まれる飾り糸を巻き付け、ボリュームのある巻編体を編み上げる飾り糸巻編み棒に関するものである。
【背景技術】
【０００２】
従来、手芸教室等では、変り編みの一種として、芯体となるゴム糸をストローの一端から他端に通し、この他端の外周にゴム糸の引出端を粘着テープで止め、このストローに飾り糸を巻き付け、この巻付け部分を順次、芯体に送り出して芯体に飾り糸を巻編み上げる手芸が行われている。この飾り糸巻編み手芸について先行する技術文献を検索したが、編成方法に関しては特許文献１の人指し指を使用するものだけであった。また、編み棒に関しては、特許文献２のような装置的な手編み具があったが、他は普通の編み棒の改良にすぎなかった。飾り糸しては、本出願人が提案した特許文献３の羽毛を撚り込んだ編物用糸がある。
【特許文献１】特開２０００−３４６５５号公報
【特許文献２】特開平９−２９１４４７号公報
【特許文献３】実公昭６２−１７５００号公報
【考案の開示】
【考案が解決しようとする課題】
【０００３】
前記飾り糸を巻編みする手芸は、ごく最近に始まったものであるので飾り糸巻編み棒に関する先行する技術文献を検索できない状況にある。前記ストローを使用する場合、前記のように、芯体となるゴム糸を粘着テープでとめるが、接着が完全でなく、巻編みの途中で外れることがある。また、巻編みの応力でストローが湾曲し又は折損することがあるなど、確実な支持力にかけるものであった。
【０００４】
この考案は、かかる欠点を解消し、飾り糸を容易に掛け止めることができ、しっかりと体裁よく巻編み上げ、順次、その巻編体を芯体に送り出すことができる飾り糸巻編み棒の提供を目的とするものである。
【課題を解決するための手段】
【０００５】
合成樹脂材により一定の剛性を具え、所要長さに切断されて中空管が形成され、該中空管の一端に所要の幅と深さを有する掛止溝が設けられてなる芯体に飾り糸を巻き編み上げる飾り糸巻編み棒にある。
【０００６】
前記中空管の外周面に、周回方向に所要の間隔で、かつ軸方向の所要の高さの突条が形成されてもよいものである。
【０００７】
合成樹脂材により一定の剛性を具え、所要長さに切断されて中空管が形成され、該中空管の一端において、背合わせに対面する外周面の２個所に第１掛止溝と第２掛止溝が設けられてなる芯体に飾り糸を巻き編み上げる飾り糸巻編み棒としてもよいものである。
【０００８】
前記一方の第１掛止溝は一端に近く、他方の第２掛止溝は前記第１掛止溝よりも他端側へ離れて設けられてなるものとしてもよいものである。
【０００９】
中空管の一端に形成される前記第２掛止溝の入口を広幅に形成して広幅入口部を具える第２広幅入口掛止溝に形成されてなるものとしてもよいものである。
【００１０】
中空管の一端に形成される第２掛止溝を鍵型に屈曲・形成して溝部内に外止突起と第３部分掛止溝を具える第２鍵型掛止溝に形成されてなるものとしてもよいものである。
【００１１】
合成樹脂材により一定の剛性を具え、所要長さに切断されて中空管が形成され、該中空管の一端において掛止孔が設けられてなる芯体に飾り糸を巻き編み上げる飾り糸巻編み棒としてもよいものである。
【００１２】
合成樹脂材により一定の剛性を具え、所要長さに切断されて中空管が形成され、該中空管の一端において掛止孔が、他端には掛止孔が夫々設けられてなる芯体に飾り糸を巻き編み上げる飾り糸巻編み棒としてもよいものである。
【考案の効果】
【００１３】
この考案の飾り糸巻編み棒は、前述のようになるから、大きく伸長するゴム糸、ゴム紐又は多少伸長する糸、編み紐若しく伸長しない糸、紐等の芯体を確実に保持し容易に飾り糸を巻編みすることができるものである。
【考案を実施するための最良の形態】
【００１４】
合成樹脂材により一定の剛性を具え、所要長さに切断されて中空管が形成され、該中空管の一端に所要の幅と深さを有する掛止溝が設けられ、該中空管の外周面に、周回方向に所要の間隔で、かつ軸方向の所要の高さの突条が形成されてなる芯体に飾り糸を巻き編み上げる飾り糸巻編み棒。
【実施例】
【００１５】
以下、この考案の飾り糸巻編み棒の実施例を図面により説明すると、図１及び図２に示す第１実施例の飾り糸巻編み棒１は、合成樹脂材により一定の剛性を具え、所要長さに切断されて中空管１ａが形成され、該中空管の一端に所要の幅と深さを有する掛止溝２が設けられてなるものである。
【００１６】
前記第１実施例の飾り糸巻編み棒１は、図３に示すように、例えば、所要径のゴム糸を芯体３とし、その始端を二重に折曲げた後、結び目４を作り、その結び目４を外周面の外に出して一端の掛止溝２に差し入れて管内に通し、他端から芯体３の終端を所要長さ引き出して配備するものである。
【００１７】
次に、図４に示すように、例えば、芯体３を伸長させて第１実施例の飾り糸巻編み棒１の他端から終端側を引き出し、その引き出し部分に引込停止具５を挟持し管内の芯体３を緊張させて引込停止具５を飾り糸巻編み棒１の他端に圧接させた状態にセットした後、左手で芯体３をセットした飾り糸巻編み棒１を持ち、飾り糸６（例えば、基糸６ａに中間部が編み上げられて保持される起毛糸６ｂを連続して具える。）の始端を左手の親指で押え、右手でその飾り糸６を案内して飾り糸巻編み棒１に巻き付け、所要回巻き付けて巻編体７を作り、その巻編体７を飾り糸巻編み棒１の他端から、順次、芯体３に送り出して巻編体７を成長させるものである。
【００１８】
図５は所要長さ巻き編み上げて作った巻編体８の芯体９の両端を大小二つの飾り玉１０、１１により止めた糸止め例を示すものである。
【００１９】
図６は、芯体の両端を接続し全体を環状に設けた巻編体１２を示すものである。なお、この巻編体１２では、起毛糸１３ｂを基糸（図示しない）に撚り合わせて編み上げ、該飾り糸の起毛糸１３ｂに飾り片１４を散在して付着させたものを使用して巻き編み上げている。
【００２０】
次に、図７及び図８に示す第２実施例の飾り糸巻編み棒１５は、前記第１実施例の飾り糸巻編み棒１の外周面１ａ１に、周回方向に所要の間隔で、かつ軸方向の所要の高さの突条１６を形成してなるものである。
【００２１】
前記第２実施例の飾り糸巻編み棒１５は、外周面に軸方向に突条１６を形成しているから、手で持った時に適度の摩擦力が得られて確実に支持することができ、また、巻き付けた巻編み部分を芯体に送り出すときに滑りがよくスムーズに移動させることができる。
【００２２】
図９及び図１０に示す第３実施例の飾り糸巻編み棒１７は、前記第１実施例と同様に形成された中空管１７ａの一端において、背合わせに対面するが外周面の２個所に第１掛止溝１８ａと第２掛止溝１８ｂを設けてなるものである。
【００２３】
前記一方の第１掛止溝１８ａは一端に近く、他方の第２掛止溝１８ｂは前記第１掛止溝１８ａよりも他端側へ離れて設けられている。
【００２４】
前記第３実施例の飾り糸巻編み棒１７は、前述のように設けられるから、図１１に示すように、芯体１９の結び目２０を外周面の外に出して第１掛止溝１８ａに差し入れて内側に通し、それから対面する第２掛止溝１８ｂ１に差し入れて再び外周面に引出し、そして芯体１９を第３実施例の飾り糸巻編み棒１７の外周面に沿わせ、かつその他端から所要長さ延長して終端までを配備するものである。
【００２５】
前記第３実施例の飾り糸巻編み棒１７は、芯体１９の始端の結び目２０を飾り糸巻編み棒１７の下方側となる第１掛止溝１８ａに掛止めて配し、外周面には上方側の第２掛止溝１８ｂから出して外周面に沿わせ、第３実施例の飾り糸巻編み棒１７を持つ手で芯体１９を押えることができ、第１実施例の飾り糸巻編み棒１のように引込停止具５を使用しないで巻き編みを行えるものである。
【００２６】
また、芯体１９が第１掛止溝１８ａより第３実施例の飾り糸巻編み棒１７の他端側に収縮する力で該側に牽引されているので、巻き編み中に結び目２０が第１掛止溝１８ａより外れることがないものである。
【００２７】
図１２に示す第４実施例の飾り糸巻編み棒２１は、第３実施例の飾り糸巻編み棒１７において、第２掛止溝１８ｂの入口を広幅に形成して広幅入口部１８ｂ１１を具える第２広幅入口掛止溝１８ｂ１に形成してなるものである。
【００２８】
前記第４実施例の飾り糸巻編み棒２１は、前述のように設けられるから、例えば、芯体１９の結び目２０を外側にして第１掛止溝１８ａに掛止め、次に、第２広幅入口掛止溝１８ｂ１に差入れるとき、入口が広いので入れ易いものである。そして、狭くなり湾曲する底部から外方に引き出すので出る位置が定位置に確保されるものである。
【００２９】
図１３に示す第５実施例の飾り糸巻編み棒２２は、第３実施例の飾り糸巻編み棒１７において、中空管１７ａの一端に形成される第２掛止溝１８ｂを鍵型に屈曲・形成し、外止突起１８ｂ２１と第３部分掛止溝１８ｂ２２を具える第２鍵型掛止溝１８ｂ２に形成してなるものである。
【００３０】
第５実施例の飾り糸巻編み棒２２は、前述のように設けられるから、例えば、芯体１９の結び目２０を外側にして第１掛止溝１８ａに掛止め、次に、第２鍵型掛止溝１８ｂ２では、外止突起１８ｂ２１により形成された第３部分掛止溝１８ｂ２２より芯体１９を外側に出して、この第３部分掛止溝１８ｂ２２と中空管１７ａの一端の開口縁１７ａ１との間で内外に数回・巻回して掛止めた後、再び、第２鍵型掛止溝１８ｂ２より芯体１９を引き出して図１１に示すように、芯体１９を第５実施例の飾り糸巻編み棒２２の他端側に外周に沿わせて配するものである。
【００３１】
図１４及び図１５に示す第６実施例の飾り糸巻編み棒２３は、前記第１実施例と同様に形成された中空管２３ａの一端において、掛止孔２４が設けられてなるものである
【００３２】
前記第６実施例の飾り糸巻編み棒２３は、図１６に示すように、芯体２５の結び目２６を外周面の外に出して掛止孔２４より管内に差入れ、結び目２６を外側に始端を掛止め、終端を第６実施例の飾り糸巻編み棒２３の他端から所要長さ引き出して芯体２５を配するものである。
【００３３】
前記第６実施例の飾り糸巻編み棒２３は、図１７に示すように、芯体２５の始端を掛止孔２４と中空管２３ａの一端の開口縁２３ａ１とに環状に差し渡して結着２７をなしてもよいものである。
【００３４】
前記第６実施例の飾り糸巻編み棒２３は、前述のように設けられるから、芯体を確実に掛け止めることができるものである。
【００３５】
図１８に示す第７実施例の飾り糸巻編み棒２８は、前記第１実施例と同様に形成された中空管２８ａの一端には掛止溝２９が、他端には掛止孔３０が夫々設けられてなるものである
【００３６】
第７実施例の飾り糸巻編み棒２８は、前述のように、掛止溝２９と掛止孔３０が設けられるから、適宜選択して利用することができるものである。
【産業上の利用可能性】
【００３７】
本考案の飾り糸巻編み棒は、以上のようになるから、新しい手芸品を提供し、手芸人口及び手芸用品業界の拡大・発展に寄与するものである。
【図面の簡単な説明】
【００３８】
【図１】本考案の第１実施例の飾り糸巻編み棒の外観斜視図である。
【図２】同じく、その先端の掛止溝を示す拡大部分断面図である。
【図３】第１実施例の飾り糸巻編み棒の掛止溝に芯体を掛止めた使用状態を示す斜視図である。
【図４】第１実施例の飾り糸巻編み棒を使用して飾り糸を芯体に巻編みしている状態を示す説明図である。
【図５】飾り糸の巻始めと巻き終わりに止め具を芯体に配備した巻編体の一例を示す斜視図である。
【図６】巻編み後、芯体の両端を連結して環状の巻編体の一例を示す斜視図である。
【図７】軸方向の突条の滑り止めを外周面に設けた本考案の第２実施例の飾り糸巻編み棒の外観斜視図である。
【図８】同じく、拡大横断面図である。
【図９】外周面の両側に対面して第１掛止溝と第２掛止溝を設けた本考案の第３実施例の飾り糸巻編み棒の外観斜視図である。
【図１０】同じく、その二箇所の掛止溝を示す拡大部分断面図である。
【図１１】第３実施例の飾り糸巻編み棒の両側に設けられる第１掛止溝と第２掛止溝に芯体を掛止めた使用状態を示す断面図である。
【図１２】第２掛止溝が入口を広く奥を狭く形成して設けられる本考案の第４実施例の飾り糸巻編み棒の外観斜視図である。
【図１３】第２掛止溝が鍵型に設けられた本考案の第５実施例の巻編み棒の外観斜視図である。
【図１４】掛止溝が中空管の内径面に貫通する孔により掛止孔により構成される本考案の第６実施例の飾り糸巻編み棒の外観斜視図である。
【図１５】同じく、その先端の掛止孔を示す拡大部分断面図である。
【図１６】第６実施例の飾り糸巻編み棒の掛止穴にゴム芯糸を掛止めた使用状態を示す斜視図である。
【図１７】同じく、掛止穴を利用してゴム芯糸を結び付けた使用状態を示す斜視図である。
【図１８】一端に掛止溝、他端に掛止孔が設けられた本考案の第７実施例の飾り糸巻編み棒の外観斜視図である。
【符号の説明】
【００３９】
１  第１実施例の飾り糸巻編み棒
１ａ  中空管
１ａ１  外周面
２  掛止溝
３  芯体
４  結び目
５  引込停止具
６  飾り糸
６ａ  基糸
６ｂ  起毛糸
７  巻編体
８  巻編体
９  芯体
１０  飾り玉
１１  飾り玉
１２  巻編体
１３ｂ  起毛糸
１４  飾り片
１５  第２実施例の飾り糸巻編み棒
１６  突条
１７  第３実施例の飾り糸巻編み棒
１７ａ  中空管
１７ａ１  開口縁
１８ａ  第１掛止溝
１８ｂ  第２掛止溝
１８ｂ１  第２広幅入口掛止溝
１８ｂ１１  広幅入口部
１８ｂ２  第２鍵型掛止溝
１８ｂ２１  外止突起
１８ｂ２２  第３部分掛止溝
１９  芯体
２０  結び目
２１  第４実施例の飾り糸巻編み棒
２２  第５実施例の飾り糸巻編み棒
２３  第６実施例の飾り糸巻編み棒
２３ａ  中空管
２３ａ１  開口縁
２４  掛止孔
２５  芯体
２６  結び目
２７  結着
２８  第７実施例の飾り糸巻編み棒
２８ａ  中空管
２９  掛止溝
３０  掛止孔
【図１】
0003139514.tif 000003
【図２】
0003139514.tif 000004
【図３】
0003139514.tif 000005
【図４】
0003139514.tif 000006
【図５】
0003139514.tif 000007
【図６】
0003139514.tif 000008
【図７】
0003139514.tif 000009
【図８】
0003139514.tif 000010
【図９】
0003139514.tif 000011
【図１０】
0003139514.tif 000012
【図１１】
0003139514.tif 000013
【図１２】
0003139514.tif 000014
【図１３】
0003139514.tif 000015
【図１４】
0003139514.tif 000016
【図１５】
0003139514.tif 000017
【図１６】
0003139514.tif 000018
【図１７】
0003139514.tif 000019
【図１８】
0003139514.tif 000020